(57)【要約】      （修正有）【課題】保温機能を有する衣類へ制御装置を安定的に固定させることができる保温機能を有する衣類の制御装置を提供する。【解決手段】保温機能を有する衣類の制御装置は、前蓋片１、後蓋片２、拡散片３及び制御ユニット４を備える。前蓋片１には、衣類本体５に設けられた貫通孔５１に対応して取り付けることが可能な押圧部１１が中央部に凸設される。押圧部１１の背面には、凹入した収納部１２が対応して形成される。衣類本体５と前蓋片１とは、押圧部１１の周囲に縫糸で縫い止められ、衣類本体５上に前蓋片１を固定させる。後蓋片２は、前蓋片１の背面を覆うために用い、側部に沿って縫糸により前蓋片１と縫い止められる。拡散片３は、透明プラスチックフィルムであり、前蓋片１の収納部１２に収容される。【選択図】図１
0003177223.tif 000002
【実用新案登録請求の範囲】
【請求項１】
前蓋片、後蓋片、拡散片及び制御ユニットを備えた保温機能を有する衣類の制御装置であって、
前記前蓋片には、衣類本体に設けられた貫通孔に対応して取り付けることが可能な押圧部が中央部に凸設され、前記押圧部の背面には、凹入した収納部が対応して形成され、前記衣類本体と前記前蓋片とは、前記押圧部の周囲に縫糸で縫い止められ、前記衣類本体上に前記前蓋片を固定させ、
前記後蓋片は、前記前蓋片の背面を覆うために用い、側部に沿って縫糸により前記前蓋片と縫い止められ、
前記拡散片は、透明プラスチックフィルムであり、前記前蓋片の収納部に収容され、
前記制御ユニットは、前記前蓋片と前記後蓋片との間に対応して取り付けられるとともに基板を含み、前記基板の中央部には、押しボタンが取り付けられ、前記基板の前記押しボタンの周囲には、発光体が取り付けられ、前記押しボタン及び前記発光体を前記前蓋片の前記収納部へ対応して収納させるとともに、前記拡散片の後方へ配置し、前記基板には、マイクロプロセッサが取り付けられ、前記押しボタン及び前記発光体と電気的に接続されることを特徴とする保温機能を有する衣類の制御装置。
【請求項２】
前記後蓋片の中央部には、前記制御ユニットを収容する収納空間が凹設されていることを特徴とする請求項１に記載の保温機能を有する衣類の制御装置。
【請求項３】
前記前蓋片の背面には、前記制御ユニットを収納する収納空間が凹設され、
前記後蓋片には、前記前蓋片に対応した前記収納空間に、前記収納空間に対応する封止部が凸設されていることを特徴とする請求項１に記載の保温機能を有する衣類の制御装置。
【考案の詳細な説明】
【技術分野】
【０００１】
本考案は、保温機能を有する衣類の制御装置に関し、特に、保温機能を有する衣類へ制御装置を安定的に固定させる保温機能を有する衣類の制御装置に関する。
【背景技術】
【０００２】
衣類に取り付ける電熱装置の制御装置は、衣類に縫い付けられるものが多いが、ユーザが体を動かして衣類が引っ張られると、衣類に縫い付けられている制御装置が一緒に引っ張られて衣類から制御装置が外れることがある。特に、洗浄する際、洗濯機の槽内で衣類が何度も回転されると、衣類に縫い付けられた制御装置が非常に大きな力で引っ張られて外れることがある。
【０００３】
衣類に取り付けられた電熱装置の制御装置は、電熱プレートをオン・オフして作動温度を調節することができる。温度を調節する際、ユーザは制御装置の押しボタンを押す回数を調整することにより、ユーザの所望の温度へ調整することができる。もし温度を明確に示す温度表示装置がある場合、ユーザは温度の調整状況を知ることができ、保温効果を高めることができる。
【考案の概要】
【考案が解決しようとする課題】
【０００４】
本考案の目的は、保温機能を有する衣類へ制御装置を安定的に固定させることができる保温機能を有する衣類の制御装置を提供することにある。
【課題を解決するための手段】
【０００５】
上記課題を解決するために、本考案の第１の形態によれば、前蓋片、後蓋片、拡散片及び制御ユニットを備えた保温機能を有する衣類の制御装置であって、前記前蓋片には、衣類本体に設けられた貫通孔に対応して取り付けることが可能な押圧部が中央部に凸設され、前記押圧部の背面には、凹入した収納部が対応して形成され、前記衣類本体と前記前蓋片とは、前記押圧部の周囲に縫糸で縫い止められ、前記衣類本体上に前記前蓋片を固定させ、前記後蓋片は、前記前蓋片の背面を覆うために用い、側部に沿って縫糸により前記前蓋片と縫い止められ、前記拡散片は、透明プラスチックフィルムであり、前記前蓋片の収納部に収容され、前記制御ユニットは、前記前蓋片と前記後蓋片との間に対応して取り付けられるとともに基板を含み、前記基板の中央部には、押しボタンが取り付けられ、前記基板の前記押しボタンの周囲には、発光体が取り付けられ、前記押しボタン及び前記発光体を前記前蓋片の前記収納部へ対応して収納させるとともに、前記拡散片の後方へ配置し、前記基板には、マイクロプロセッサが取り付けられ、前記押しボタン及び前記発光体と電気的に接続されることを特徴とする保温機能を有する衣類の制御装置が提供される。
【０００６】
前記後蓋片の中央部には、前記制御ユニットを収容する収納空間が凹設されていることが好ましい。
【０００７】
前記前蓋片の背面には、前記制御ユニットを収納する収納空間が凹設され、前記後蓋片には、前記前蓋片に対応した前記収納空間に、前記収納空間に対応する封止部が凸設されていることが好ましい。
【考案の効果】
【０００８】
本考案の保温機能を有する衣類の制御装置は、中間部のみで制御装置が衣類本体と固接され、他側が衣類本体と分離可能であるため、衣類本体と小面積で接触され、これにより本考案の衣類を着て体を動かしたり洗浄したりする際、引っ張る力が衣類本体だけに作用するため、制御装置の部分が引っ張られることを大幅に減らし、衣類本体に制御装置を安定的に固定させることができる。
【図面の簡単な説明】
【０００９】
【図１】本考案の一実施形態に係る保温機能を有する衣類の制御装置を示す分解斜視図である。
【図２】本考案の一実施形態に係る保温機能を有する衣類の制御装置を示す分解斜視図である。
【図３】本考案の一実施形態に係る保温機能を有する衣類の制御装置を示す斜視図である。
【図４】本考案の一実施形態に係る保温機能を有する衣類の制御装置を示す断面図である。
【図５】本考案の一実施形態に係る保温機能を有する衣類の制御装置を使用するときの状態を示す模式図である。
【図６】本考案の他の実施形態に係る保温機能を有する衣類の制御装置を示す分解斜視図である。
【図７】本考案の他の実施形態に係る保温機能を有する衣類の制御装置を示す断面図である。
【考案を実施するための形態】
【００１０】
まず、図１を参照する。図１に示すように、本考案の一実施形態に係る保温機能を有する衣類の制御装置は、少なくとも前蓋片１、後蓋片２、拡散片３及び制御ユニット４から構成される。
【００１１】
前蓋片１には、衣類本体５の適宜な箇所に設けられた貫通孔５１に対応して取り付けることが可能な押圧部１１が中央部に凸設されている。この凸設された押圧部１１の背面には、凹入した収納部１２が対応して形成され、衣類本体５と前蓋片１とは、押圧部１１の周囲が縫糸５２により縫い止められ、衣類本体５上に前蓋片１を固定させる。
【００１２】
後蓋片２は、前蓋片１の背面を覆うために用いる。後蓋片２の中央部には、収納空間２１が凹設され、後蓋片２の上縁及び下縁には、スリット２２がそれぞれ設けられている。スリット２２と収納空間２１とが連通され、前蓋片１と後蓋片２とがその側部に沿って縫糸５２により縫い止められている。
【００１３】
拡散片３は、光線を均等に分散させる透明プラスチックフィルムであり、前蓋片１の収納部１２に収容させる。
【００１４】
制御ユニット４は、後蓋片２の収納空間２１内に対応して収納されるとともに基板４１を含む。基板４１の中央部には、押しボタン４２が取り付けられている。基板４１は、押しボタン４２の周囲に取り付けられた発光体４３を有し、押しボタン４２及び発光体４３を前蓋片１の収納部１２へ対応して収納し、拡散片３の後方へ位置させる。基板４１には、マイクロプロセッサ４４が取り付けられ、押しボタン４２及び発光体４３と電気的に接続され、基板４１に２つの導電線４５が取り付けられ、後蓋片２の上縁及び下縁に設けたスリット２２から導電線４５が延伸されている。一方の導電線４５には、発熱ユニットが接続され、他方の導電線４５には、給電ユニットが接続されている。
【００１５】
図２を併せて参照する。図２に示すように、実際に組み立てる際、衣類本体５の適宜な箇所に設けられた貫通孔５１へ、前蓋片１に凸設された押圧部１１を貫設させ、衣類本体５の貫通孔５１から前蓋片１の押圧部１１を露出させ、前蓋片１の押圧部１１の周囲に縫糸５２を沿わせて衣類本体５に縫い合わせる。図３及び図４を併せて参照する。
図３及び図４に示すように、押圧部１１に対応するように形成された前蓋片１の収納部１２中に拡散片３を挿入し、前蓋片１へ制御ユニット４を貼着させ、制御ユニット４の押しボタン４２及び発光体４３を前蓋片１の収納部１２へ対応するように収納させ、拡散片３の後方へ位置決めし、後蓋片２により制御ユニット４及び前蓋片１を覆い、制御ユニット４の導電線４５を後蓋片２の上縁及び下縁に設けたスリット２２から延伸させて発熱ユニット及び給電ユニットとそれぞれ接続させ、前蓋片１及び後蓋片２の側部に沿って縫糸５２で縫い止めて前蓋片１と後蓋片２とを固設させ、前蓋片１と後蓋片２との間で拡散片３及び制御ユニット４を安定的に覆う。
【００１６】
図５を併せて参照する。図５に示すように、本実施形態の制御装置は、中間部が衣類本体５に縫い合わされて固定され、他方の側部が衣類本体５と分離可能な状態に維持され、ユーザが本考案の制御装置を有する衣類を着て体を動かすと、衣類本体５がユーザの身体の動きに伴って引っ張られ、衣類本体５の制御装置に縫い合わされて中間部と衣類本体５とが固定されているため、制御装置と衣類本体５とが連動することを防ぎ、これにより、制御装置が引っ張られることを防ぎ、衣類本体５へ制御装置を安定的に固定させる効果を得ることができる。さらに、汚れた衣類を洗浄する際、本考案の制御装置は、中間部だけで衣類本体５と固接されているため、洗濯機の槽内で衣類が何度も回転されて衣類本体５に発生する大きな引っ張る力が、衣類本体５と制御装置との接続箇所に作用し、洗濯機で洗浄する際に大きな引っ張る力が発生し、衣類本体５から制御装置が引っ張られて外れることを防ぐ。
【００１７】
ユーザが、本考案の制御装置を有する衣類本体５を着て体を動かす場合、屋外の気温の変化又は体を動かした後の身体の発熱状況などに応じ、制御装置により発熱ユニットをオン・オフし、発熱ユニットの発熱温度の高さを調整する際、図４及び図５に示すように、衣類本体５の外側に突出された押圧部１１が押圧されると、押圧部１１を押圧する力により拡散片３が押圧され、拡散片３により、押圧する力が拡散片３上に均等に分散され、拡散片３の後方に位置する制御ユニット４の押しボタン４２に力が集中して損壊することを防ぎ、押しボタン４２が押圧された後、電気的に接続されたマイクロプロセッサ４４を駆動させ、導電線４５から発熱ユニットに流れる電流量を制御し、発熱ユニットをオン・オフしたり発熱温度を調整したりする。
ユーザが押しボタン４２を押圧すると、マイクロプロセッサ４４により発熱ユニットのオン・オフを制御して発熱温度を調整する際、マイクロプロセッサ４４と電気的に接続された発光体４３は、発熱ユニットがオン・オフされると、発熱温度に応じて対応した色の光線を出射させ、発光体４３から出射された光線が前方の拡散片３を透過した後、光線を均等に分散させて押圧部１１全体を照らす。ここで、ユーザは、押圧部１１から出射された光線の色から温度を知ることができるため、発熱ユニットをオン・オフして衣類を保温したり加熱したりすることができる。
【００１８】
図６及び図７を併せて参照する。図６及び図７に示すように、本考案の他の実施形態に係る保温機能を有する衣類の制御装置は、前蓋片１の背面に収納空間１３が凹設され、後蓋片２は、前蓋片１に対応した収納空間１３に、収納空間１３に対応した封止部２３が凸設され、拡散片３及び制御ユニット４を前蓋片１の収納部１２及び収納空間１３に収納した後、前蓋片１の収納空間１３を封止部２３により封止し、前蓋片１と後蓋片２とを側部に沿って縫糸で縫い合わせ、前蓋片１の収納空間１３と後蓋片２の封止部２３とを利用し、対応した凹凸構造により前蓋片１と後蓋片２とを組み合わせたときの密着性を高めて確実な防水効果を得て、前蓋片１及び後蓋片２の側部に設けたスリット１４から制御ユニット４の２つの導電線４５が延伸され、発熱ユニット及び給電ユニットとそれぞれ接続される。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１    前蓋片
２    後蓋片
３    拡散片
４    制御ユニット
５    衣類本体
１１  押圧部
１２  収納部
１３  収納空間
１４  スリット
２１  収納空間
２２  スリット
２３  封止部
４１  基板
４２  押しボタン
４３  発光体
４４  マイクロプロセッサ
４５  導電線
５１  貫通孔
５２  縫糸
【図１】
0003177223.tif 000003
【図２】
0003177223.tif 000004
【図３】
0003177223.tif 000005
【図４】
0003177223.tif 000006
【図５】
0003177223.tif 000007
【図６】
0003177223.tif 000008
【図７】
0003177223.tif 000009